【手続補正書】
【提出日】平成19年9月10日(2007.9.10)
【手続補正１】
【補正対象書類名】明細書
【補正対象項目名】特許請求の範囲
【補正方法】変更
【補正の内容】
【特許請求の範囲】
【請求項１】  炭化水素化合物の原料を供給する原料供給部と、水を供給する水供給部と、改質触媒を充填した改質部と、前記改質部を加熱する加熱手段と、変成触媒を有し、前記改質部から供給される改質ガス中の一酸化炭素を変成反応により低減する変成部と、前記変成触媒の温度を検知する変成温度検知部と、前記原料供給部からの原料流量を制御する原料流量制御部とを備え、
原料流量を変化させるとき、前記原料供給部から供給される原料供給量と、前記変成温度検知部で検出される変成触媒温度に応じて、前記原料流量制御部により原料流量の変化速度を制御する水素発生装置。
【請求項２】  ＣＯ酸化触媒を有し、前記変成部から供給される改質ガス中の一酸化炭素をＣＯ酸化反応により低減するＣＯ酸化部と、前記ＣＯ酸化触媒の温度を検知するＣＯ酸化温度検知部と、前記ＣＯ酸化部にＣＯ酸化用空気を供給するＣＯ酸化空気供給部とをさらに備え、
原料流量を変化させるとき、前記原料供給部から供給される原料供給量と、前記変成温度検知部で検出される変成触媒温度と、前記ＣＯ酸化温度検知部で検出されるＣＯ酸化触媒温度に応じて、前記原料流量制御部により原料流量の変化速度を制御する請求項１に記載の水素発生装置。
【請求項３】  前記原料流量に対応した変成温度範囲を設け、前記変成触媒の温度が前記変成温度範囲内のときに一定の変化速度で原料流量を制御する請求項１に記載の水素発生装置。
【請求項４】  前記原料流量に対応したＣＯ酸化温度範囲を設け、前記ＣＯ酸化触媒の温度が前記ＣＯ酸化温度範囲内で、かつ前記変成触媒の温度が前記変成温度範囲内のときに一定の変化速度で原料流量を制御する請求項３記載の水素発生装置。
【請求項５】  前記変成温度範囲、あるいは前記ＣＯ酸化温度範囲の少なくとも一方が複数の温度範囲を有し、前記変成温度範囲と前記ＣＯ酸化温度範囲の組み合わせに対応した一定の変化速度により前記原料流量を制御する請求項４記載の水素発生装置。
【請求項６】  炭化水素化合物の原料を供給する原料供給部と、水を供給する水供給部と、改質触媒を充填した改質部と、前記改質部を加熱する加熱手段と、前記改質部からの改質後ガスが流入し、内部に変成触媒を有する変成部と、前記変成部からの変成後ガスが流入し、内部にＣＯ酸化触媒を有するＣＯ酸化部と、前記ＣＯ酸化部にＣＯ酸化用空気を供給するＣＯ酸化空気供給部と、前記ＣＯ酸化空気供給部からの空気量を制御するＣＯ酸化空気制御部とを備え、
前記原料供給部からの原料流量を変化させるときには、前記原料供給部から供給される原料供給量に応じて前記ＣＯ酸化空気供給部からの空気量を所定のＯ２／ＣＯ値よりも
大きくなるように増加させる水素発生装置。
【請求項７】  前記変成触媒の温度を検知する変成温度検知部をさらに備え、
前記原料供給部からの原料流量を変化させるときには、前記原料供給部から供給される原料供給量と、前記変成温度検知部で検出される変成触媒温度に応じて前記ＣＯ酸化空気供給部からの空気量を所定のＯ２／ＣＯ値よりも大きくなるように増加させる請求項６記載の水素発生装置。
【請求項８】  前記変成触媒の温度を検知する変成温度検知部と、ＣＯ酸化触媒の温度を検知するＣＯ酸化温度検知部とをさらに備え、
前記原料供給部から供給される原料供給量と、前記変成温度検知部で検出される変成触媒温度と、前記ＣＯ酸化温度検知部で検出されるＣＯ酸化触媒温度と、原料流量の変化速度に応じて前記ＣＯ酸化空気制御部によりＣＯ酸化空気供給量を制御する請求項６記載の水素発生装置。
【請求項９】  炭化水素化合物の原料を供給する原料供給部と、水を供給する水供給部と、改質触媒を充填した改質部と、前記改質部を加熱する加熱手段と、前記改質部からの改質後ガスが流入し、内部に変成触媒を有する変成部と、前記変成触媒の温度を検知する変成温度検知部と、前記変成触媒を加熱する変成ヒータと、前記変成部からの変成後ガスが流入し、内部にＣＯ酸化触媒を有するＣＯ酸化部と、前記ＣＯ酸化部にＣＯ酸化用空気を供給するＣＯ酸化空気供給部と、前記変成ヒータでの加熱量を制御する制御部とを備え、
前記原料供給部からの原料供給量を変化させるとき、前記変成温度検知部で検出される変成触媒温度に応じて前記変成ヒータを制御する水素発生装置。
【請求項１０】  前記原料供給部からの原料供給量を変化させるとき、前記変成温度検知部で検出される変成触媒温度と、前記原料供給部から供給される原料供給量に応じて前記変成ヒータを制御する請求項９記載の水素発生装置。
【請求項１１】  炭化水素化合物の原料を供給する原料供給部と、水を供給する水供給部と、改質触媒を充填した改質部と、前記改質部を加熱する加熱手段と、前記改質部からの改質後ガスが流入し、内部に変成触媒を有する変成部と、前記変成部からの変成後ガスが流入し、内部にＣＯ酸化触媒を有するＣＯ酸化部と、前記ＣＯ酸化触媒の温度を検知するＣＯ酸化温度検知部と、前記ＣＯ酸化触媒を加熱するＣＯ酸化ヒータと、前記ＣＯ酸化部にＣＯ酸化用空気を供給するＣＯ酸化空気供給部と、前記ＣＯ酸化ヒータでの加熱量を制御する制御部とを備え、
前記原料供給部からの原料供給量を変化させるとき、前記ＣＯ酸化温度検知部で検出されるＣＯ酸化触媒温度に応じて前記ＣＯ酸化ヒータを制御する水素発生装置。
【請求項１２】  前記原料供給部からの原料供給量を変化させるとき、前記ＣＯ酸化温度検知部で検出されるＣＯ酸化触媒温度と、前記原料供給部から供給される原料供給量に応じてＣＯ酸化ヒータを制御する請求項１１記載の水素発生装置。
【手続補正２】
【補正対象書類名】明細書
【補正対象項目名】０００７
【補正方法】変更
【補正の内容】
【０００７】
【課題を解決するための手段】
以上のような課題を解決するため、第１の本発明は、炭化水素化合物の原料を供給する原料供給部と、水を供給する水供給部と、改質触媒を充填した改質部と、前記改質部を加熱する加熱手段と、前記改質部からの改質後ガスが流入し、内部に変成触媒を有する変成部と、前記変成触媒の温度を検知する変成温度検知部と、前記原料供給部からの原料流量を制御する原料流量制御部を備え、原料流量を変化させるとき、前記原料供給部から供給される原料供給量と、前記変成温度検知部で検出される変成触媒温度に応じて前記原料流量制御部により原料流量の変化速度を制御することを特徴とする水素発生装置である。
【手続補正３】
【補正対象書類名】明細書
【補正対象項目名】０００８
【補正方法】変更
【補正の内容】
【０００８】
また、第２の本発明は、ＣＯ酸化触媒を有し、前記変成部から供給される改質ガス中の一酸化炭素をＣＯ酸化反応により低減するＣＯ酸化部と、前記ＣＯ酸化触媒の温度を検知するＣＯ酸化温度検知部と、前記ＣＯ酸化部にＣＯ酸化用空気を供給するＣＯ酸化空気供給部とをさらに備え、
原料流量を変化させるとき、前記原料供給部から供給される原料供給量と、前記変成温度検知部で検出される変成触媒温度と、前記ＣＯ酸化温度検知部で検出されるＣＯ酸化触媒温度に応じて、前記原料流量制御部により原料流量の変化速度を制御する上記第１の本発明の水素発生装置である。
【手続補正４】
【補正対象書類名】明細書
【補正対象項目名】０００９
【補正方法】変更
【補正の内容】
【０００９】
また、第３の本発明は、上記原料流量に対応した変成温度範囲を設け、前記変成触媒の温度が前記変成温度範囲内のときに一定の変化速度で原料流量を制御する上記第１の本発明の水素発生装置である。
【手続補正５】
【補正対象書類名】明細書
【補正対象項目名】００１０
【補正方法】変更
【補正の内容】
【００１０】
また、第４の本発明は、上記原料流量に対応したＣＯ酸化温度範囲を設け、前記ＣＯ酸化触媒の温度が前記ＣＯ酸化温度範囲内で、かつ前記変成触媒の温度が前記変成温度範囲内のときに一定の変化速度で原料流量を制御する上記第３の本発明の水素発生装置である。
【手続補正６】
【補正対象書類名】明細書
【補正対象項目名】００１１
【補正方法】変更
【補正の内容】
【００１１】
また、第５の本発明は、上記変成温度範囲、あるいは前記ＣＯ酸化温度範囲の少なくとも一方が複数の温度範囲を有し、前記変成温度範囲と前記ＣＯ酸化温度範囲の組み合わせに対応した一定の変化速度により前記原料流量を制御する上記第４の本発明の水素発生装置である。
【手続補正７】
【補正対象書類名】明細書
【補正対象項目名】００１２
【補正方法】変更
【補正の内容】
【００１２】
また、第６の本発明は、炭化水素化合物の原料を供給する原料供給部と、水を供給する水供給部と、改質触媒を充填した改質部と、前記改質部を加熱する加熱手段と、前記改質部からの改質後ガスが流入し、内部に変成触媒を有する変成部と、前記変成部からの変成後ガスが流入し、内部にＣＯ酸化触媒を有するＣＯ酸化部と、前記ＣＯ酸化部にＣＯ酸化用空気を供給するＣＯ酸化空気供給部と、前記ＣＯ酸化空気供給部からの空気量を制御するＣＯ酸化空気制御部を備え、
前記原料供給部からの原料流量を変化させるときには、前記原料供給部から供給される原料供給量に応じて前記ＣＯ酸化空気供給部からの空気量を所定のＯ2／ＣＯ値よりも大きくなるように増加させる水素発生装置である。
【手続補正８】
【補正対象書類名】明細書
【補正対象項目名】００１３
【補正方法】変更
【補正の内容】
【００１３】
また、第７の本発明は、上記変成部の温度を検知する変成温度検知部を備え、前記原料供給部からの原料流量を変化させるときには、前記原料供給部から供給される原料供給量と、前記変成温度検知部で検出される変成触媒温度に応じて前記ＣＯ酸化空気供給部からの空気量を所定のＯ2／ＣＯ値よりも大きくなるように増加させる上記第６の本発明の水素発生装置である。
【手続補正９】
【補正対象書類名】明細書
【補正対象項目名】００１４
【補正方法】変更
【補正の内容】
【００１４】
また、第８の本発明は、上記変成触媒の温度を検知する変成温度検知部と、ＣＯ酸化触媒の温度を検知するＣＯ酸化温度検知部とをさらに備え、
前記原料供給部から供給される原料供給量と、前記変成温度検知部で検出される変成触媒温度と、前記ＣＯ酸化温度検知部で検出されるＣＯ酸化触媒温度と、原料流量の変化速度に応じて前記ＣＯ酸化空気制御部によりＣＯ酸化空気供給量を制御する上記第６の本発明の水素発生装置である。
【手続補正１０】
【補正対象書類名】明細書
【補正対象項目名】００１５
【補正方法】変更
【補正の内容】
【００１５】
また、第９の本発明は、炭化水素化合物の原料を供給する原料供給部と、水を供給する水供給部と、改質触媒を充填した改質部と、前記改質部を加熱する加熱手段と、前記改質部からの改質後ガスが流入し、内部に変成触媒を有する変成部と、前記変成触媒の温度を検知する変成温度検知部と、前記変成触媒を加熱する変成ヒータと、前記変成部からの変成後ガスが流入し、内部にＣＯ酸化触媒を有するＣＯ酸化部と、前記ＣＯ酸化部にＣＯ酸化用空気を供給するＣＯ酸化空気供給部と、前記変成ヒータでの加熱量を制御する制御部を備え、
前記原料供給部からの原料供給量を変化させるとき、前記変成温度検知部で検出される変成触媒温度に応じて前記変成ヒータを制御する水素発生装置である。
また、第１０の本発明は、上記原料供給部からの原料供給量を変化させるとき、前記変成温度検知部で検出される変成触媒温度と、前記原料供給部から供給される原料供給量に応じて前記変成ヒータを制御する上記第９の本発明の水素発生装置である。
【手続補正１１】
【補正対象書類名】明細書
【補正対象項目名】００１６
【補正方法】変更
【補正の内容】
【００１６】
また、第１１の本発明は、炭化水素化合物の原料を供給する原料供給部と、水を供給する水供給部と、改質触媒を充填した改質部と、前記改質部を加熱する加熱手段と、前記改質部からの改質後ガスが流入し、内部に変成触媒を有する変成部と、前記変成部からの変成後ガスが流入し、内部にＣＯ酸化触媒を有するＣＯ酸化部と、前記ＣＯ酸化触媒の温度を検知するＣＯ酸化温度検知部と、前記ＣＯ酸化触媒を加熱するＣＯ酸化ヒータと、前記ＣＯ酸化部にＣＯ酸化用空気を供給するＣＯ酸化空気供給部と、前記ＣＯ酸化ヒータでの加熱量を制御する制御部を備え、
前記原料供給部からの原料供給量を変化させるとき、前記ＣＯ酸化温度検知部で検出されるＣＯ酸化触媒温度に応じて前記ＣＯ酸化ヒータを制御する水素発生装置である。
また、第１２の本発明は、上記原料供給部からの原料供給量を変化させるとき、前記ＣＯ酸化温度検知部で検出されるＣＯ酸化触媒温度と、前記原料供給部から供給される原料供給量に応じてＣＯ酸化ヒータを制御する上記第１１の本発明の水素発生装置である。